(57)【要約】【課題】操作性を損なうことなくホールド性を維持または向上させることが可能なアクセサリを提供する。【解決手段】カメラ本体（１００）に着脱可能なアクセサリ（２００）であって、筐体（２０１）と、筐体に対して開位置と閉位置との間で動作可能な蓋部材（２０３）と、カメラ本体にアクセサリを装着した状態で、カメラ本体を把持した手の一部が掛かるホールド部（２０４）とを有し、蓋部材が開位置にある場合、カメラ本体にアクセサリを装着した状態で電池またはメディアの少なくとも一方の挿抜が可能であり、蓋部材が閉位置にある場合、電池またはメディアの少なくとも一方の挿抜が不可能であり、ホールド部の少なくとも一部には、筐体と蓋部材とで形成された割り線（３００）が設けられており、割り線のクリアランスは、第一のクリアランス（２６０）と、第一のクリアランスと大きさが異なる第二のクリアランス（２６１）とを有する。【選択図】図２
2020016861.tif 000002
【特許請求の範囲】
【請求項１】
カメラ本体に着脱可能なアクセサリであって、
筐体と、
前記筐体に対して開位置と閉位置との間で動作可能な蓋部材と、
前記カメラ本体に前記アクセサリを装着した状態で、前記カメラ本体を把持した手の一部が掛かるホールド部と、を有し、
前記蓋部材が前記開位置にある場合、前記カメラ本体に前記アクセサリを装着した状態で前記カメラ本体の内部に収納された電池またはメディアの少なくとも一方の挿抜が可能であり、
前記蓋部材が前記閉位置にある場合、前記カメラ本体に前記アクセサリを装着した状態で前記電池または前記メディアの少なくとも一方の挿抜が不可能であり、
前記ホールド部の少なくとも一部には、前記筐体と前記蓋部材とで形成された割り線が設けられており、
前記割り線のクリアランスは、第一のクリアランスと、前記第一のクリアランスと大きさが異なる第二のクリアランスと、を有することを特徴とするアクセサリ。
【請求項２】
前記第二のクリアランスは、前記第一のクリアランスよりも大きいことを特徴とする請求項１に記載のアクセサリ。
【請求項３】
前記第一のクリアランスは、前記筐体および前記蓋部材の一方に設けられた凸部と、前記凸部に対向する前記筐体および前記蓋部材の他方の平面とにより形成され、
前記第二のクリアランスは、前記筐体の平面と、前記筐体の前記平面に対向する前記蓋部材の平面とにより形成されていることを特徴とする請求項１または２に記載のアクセサリ。
【請求項４】
前記第一のクリアランスを形成する前記凸部は、前記割り線の範囲内において第一の凸部および第二の凸部を含むことを特徴とする請求項３に記載のアクセサリ。
【請求項５】
前記第一のクリアランスを形成する前記凸部は、前記割り線の範囲内において少なくとも２つ以上の凸部を含むことを特徴とする請求項３に記載のアクセサリ。
【請求項６】
前記蓋部材を回動させるための回動軸を更に有し、
前記第一の凸部は、前記回動軸よりも前記ホールド部の先端部に近い位置に設けられており、
前記第二の凸部は、前記ホールド部の前記先端部よりも前記回動軸に近い位置に設けられていることを特徴とする請求項３乃至５のいずれか１項に記載のアクセサリ。
【請求項７】
前記回動軸を貫通するように設けられた開きバネを更に有し、
前記蓋部材は、前記開きバネの付勢力により、前記ホールド部の先端部に向けて付勢されていることを特徴とする請求項６に記載のアクセサリ。
【請求項８】
前記第一のクリアランスのうち、前記第一の凸部と前記第一の凸部に対向する平面とで形成されるクリアランスと、前記第二の凸部と前記第二の凸部に対向する平面とで形成されるクリアランスは、互いに異なる大きさを有することを特徴とする請求項４乃至７のいずれか１項に記載のアクセサリ。
【請求項９】
前記第一の凸部と前記第一の凸部に対向する前記平面とで形成される前記クリアランスは、前記第二の凸部と前記第二の凸部に対向する平面とで形成される前記クリアランスよりも小さいことを特徴とする請求項８に記載のアクセサリ。
【請求項１０】
前記蓋部材は、前記閉位置において、前記カメラ本体に挿入される前記電池または前記メディアの少なくとも一方の挿抜方向に配置されていることを特徴とする請求項１乃至９のいずれか１項に記載のアクセサリ。
【請求項１１】
前記アクセサリは、延長グリップであることを特徴とする請求項１乃至１０のいずれか１項に記載のアクセサリ。
【請求項１２】
カメラ本体と、
請求項１乃至１１のいずれか１項に記載のアクセサリと、を有することを特徴とする撮像装置。
【発明の詳細な説明】
【技術分野】
【０００１】
本発明は、撮像装置に着脱可能なアクセサリに関する。
【背景技術】
【０００２】
従来、レンズ交換式カメラとして、撮影レンズを介した入射光を光学式ファインダに導くための反射ミラーや光学式ファインダ関連部品を除くことにより、小型化を図ったミラーレスカメラが知られている。また、ミラーレスカメラの小型化に伴い、ミラーレスカメラのホールド性の維持および向上のための補助グリップが要求されている。例えば特許文献１には、補助グリップが設けられたカメラ本体に、一回り大きな補助グリップを着脱可能なカメラ装置が開示されている。
【先行技術文献】
【特許文献】
【０００３】
【特許文献１】特開２００２−３２８４２４号公報
【発明の概要】
【発明が解決しようとする課題】
【０００４】
特許文献１に開示された構成では、ユーザの小指や薬指の余りなどの課題を解決するには不十分である。また、補助グリップを装着した状態でカメラ本体に収納された電池やメモリカードなどのメディアを交換したいという要望も想定される。
【０００５】
そこで、カメラ本体を把持した手の一部が掛かる補助グリップのホールド部と対向する背面側のホールド部に、蓋部材の一部が背面の一部を担うように筐体と蓋部材との割り線を設ける構成が考えられる。このような割り線を設けることにより、蓋部材を開けた際に補助グリップの内部に指が入るスペースを確保し、電池やメディアの取り出しやすさなどの操作性を向上させることができる。しかし、ホールド部に割り線を設けると、ホールド部を握り込んだ際に筐体と蓋部材との間のクリアランスによりガタつきなどを感じ、ホールド性が損なわれる。
【０００６】
そこで本発明は、操作性を損なうことなくホールド性を維持または向上させることが可能なアクセサリおよび撮像装置を提供することを目的とする。
【課題を解決するための手段】
【０００７】
本発明の一側面としてのアクセサリは、カメラ本体に着脱可能なアクセサリであって、筐体と、前記筐体に対して開位置と閉位置との間で動作可能な蓋部材と、前記カメラ本体に前記アクセサリを装着した状態で、前記カメラ本体を把持した手の一部が掛かるホールド部とを有し、前記蓋部材が前記開位置にある場合、前記カメラ本体に前記アクセサリを装着した状態で前記カメラ本体の内部に収納された電池またはメディアの少なくとも一方の挿抜が可能であり、前記蓋部材が前記閉位置にある場合、前記カメラ本体に前記アクセサリを装着した状態で前記電池または前記メディアの少なくとも一方の挿抜が不可能であり、前記ホールド部の少なくとも一部には、前記筐体と前記蓋部材とで形成された割り線が設けられており、前記割り線のクリアランスは、前記割り線のクリアランスは、第一のクリアランスと、前記第一のクリアランスと大きさが異なる第二のクリアランスとを有する。
【０００８】
本発明の他の側面としての撮像装置は、カメラ本体と前記アクセサリとを有する。
【０００９】
本発明の他の目的及び特徴は、以下の実施形態において説明される。
【発明の効果】
【００１０】
本発明によれば、操作性を損なうことなくホールド性を維持または向上させることが可能なアクセサリおよび撮像装置を提供することができる。
【図面の簡単な説明】
【００１１】
【図１】本実施形態における延長グリップの分解斜視図である。
【図２】本実施形態における延長グリップの正面斜視図、背面斜視図、および、下面図である。
【図３】本実施形態における延長グリップが装着されたカメラ本体の正面斜視図および背面斜視図である。
【図４】本実施形態におけるカメラ本体の蓋部材の取り外し方法を示す図である。
【図５】本実施形態におけるカメラ本体および延長グリップの正面斜視図および背面斜視図である。
【図６】本実施形態における蓋部材の回動ロック部がロック位置にある状態を示す図である。
【図７】本実施形態における蓋部材のつまみ部を引き上げた状態を示す図である。
【図８】本実施形態における蓋部材の回動ロック部がロック解除位置の状態を示す図である。
【図９】本実施形態における蓋部材が開位置にある状態を示す図である。
【図１０】本実施形態における蓋部材の回動ロック部および円弧凸部を示す図である。
【図１１】本実施形態における延長グリップが装着されたカメラ本体の側面図である。
【図１２】本実施形態における筐体および蓋部材の割り線およびクリアランスの説明図である。
【図１３】本実施形態における筐体と蓋部材との間のクリアランスの説明図である。
【図１４】本実施形態の変形例としての筐体および蓋部材の割り線およびクリアランスの説明図である。
【図１５】本実施形態の変形例としての筐体と蓋部材との間のクリアランスの説明図である。
【図１６】本実施形態の変形例としての第一の凸部と第二の凸部との位置関係の説明図である。
【図１７】本実施形態における開きバネによる蓋部材の付勢方向の説明図である。
【発明を実施するための形態】
【００１２】
以下、本発明の実施形態について、図面を参照しながら詳細に説明する。
【００１３】
まず、図１乃至図３を参照して、本実施形態における延長グリップ（アクセサリ）の構成について説明する。図１は、本実施形態における延長グリップ２００の分解斜視図である。図２（ａ）〜（ｃ）はそれぞれ、延長グリップ２００の正面斜視図、背面斜視図、および、下面図である。図３（ａ）、（ｂ）はそれぞれ、延長グリップ２００が装着されたカメラ本体１００（撮像装置）の正面斜視図および背面斜視図である。本実施形態において、延長グリップ２００は、筐体２０１、締結部材２０２、蓋部材２０３、および、その他の部品を備えて構成される。
【００１４】
まず、延長グリップ２００の筐体２０１について説明する。筐体２０１には、筐体カバー２１０、板金部品２１１、位置決めピン２１２、および、ラバー部品２１３、２１４が取り付けられている。筐体２０１の内面側には、強度アップのために板金部品２１１が設けられている。板金部品２１１は、筐体カバー２１０と共に、ビスにより＋ｙ方向から共締めされ、筐体２０１と筐体カバー２１０との間に挟持されている。位置決めピン２１２は、延長グリップ２００と後述するカメラ本体１００との位置関係を決めるための部品であり、筐体２０１と筐体カバー２１０との間に挟持されている。
【００１５】
筐体２０１および筐体カバー２１０は、ポリカーボネート等の樹脂成形で作製される。ただし本発明は、これに限定されるものではなく、品位を高めるため、筐体２０１および筐体カバー２１０をアルミの削り出し等で作製してもよい。一方、板金部品２１１および位置決めピン２１２は、ＳＵＳ等の金属プレス加工や切削加工で作製される。
【００１６】
ラバー部品２１３、２１４は、延長グリップ２００が装着されたカメラ本体１００をユーザが把持する際に、把持した手の一部が掛かる箇所に、不図示の両面テープ等で貼り付けられている。ラバー部品２１３、２１４は、クッション性を有する部品であるため、官能的なホールド性を向上させている。
【００１７】
図３（ａ）において、１０１はカメラ本体１００のホールド部、２０４は延長グリップ２００のホールド部であり、延長グリップ２００が装着されたカメラ本体１００をユーザが把持する際に、把持した手の一部、主に指が掛かる箇所である。カメラ本体１００に延長グリップ２００が装着されることにより、カメラ本体１００のホールド部１０１の−ｙ方向に、延長グリップ２００のホールド部２０４が加わり、ホールド部が−ｙ方向に延長される。
【００１８】
次に、締結部材２０２について説明する。締結部材２０２は、第一の締結部２２０、第二の締結部２２１、締結部材ベース２２２、および、キャップ部品２２３を備えて構成されている。締結部材２０２は、延長グリップ２００をカメラ本体１００に取り付けるための部品である。第一の締結部２２０および第二の締結部２２１は、一つの金属部品で構成されており、その金属部品において、＋ｙ方向におねじとなる第一の締結部２２０、−ｙ方向にめねじとなる第二の締結部２２１がそれぞれ設けられている。
【００１９】
図２（ｃ）に示されるように、締結部材２０２の−ｙ方向において、第一の締結部２２０の略中心位置にめねじとなる第二の締結部２２１が設けられている。延長グリップ２００の第二の締結部２２１により、三脚座を固定することができる。このような構成により、延長グリップ２００とカメラ本体１００との締結に用いられる第一の締結部２２０と、三脚座と延長グリップ２００との締結に用いられる第二の締結部２２１とを、締結部材２０２のみで実現可能であり、部品点数を削減することができる。
【００２０】
第一の締結部２２０および第二の締結部２２１が設けられている金属部品の外周部には、締結部材ベース２２２が二色成形等により成形されている。締結部材ベース２２２には、キャップ部品２２３がビスにより＋ｙ方向から締結される。キャップ部品２２３は、製品の意匠性を高めるための外観部品であり、金属アルマイト加工・塗装、または、樹脂成型・塗装等により作製される。なお本実施形態において、第一の締結部２２０、第二の締結部２２１、締結部材ベース２２２、および、キャップ部品２２３は、全て一体的に金属で作製されてもよい。本実施形態において、締結部材２０２は、カメラ本体１００の正面および背面のいずれの方向からも操作可能である。
【００２１】
次に、蓋部材２０３について説明する。蓋部材２０３は、蓋部材ベース２３０、蓋部材カバー２３１、蓋部材回動軸（回動軸）２３８、開きバネ２３９、および、蓋部材ロック部２０５を備えて構成されている。蓋部材２０３は、筐体２０１に対して回動操作可能な部品である。蓋部材カバー２３１には、カメラ本体１００の電源検知部材（不図示）を押圧する押圧部２３２、および、カメラ本体１００に収納される電池１０４を保持する電池保持部材１０６を係止する係止部２３３が設けられている。本実施形態において、蓋部材ベース２３０および蓋部材カバー２３１は、ポリカーボネート等の樹脂成形により作製される。
【００２２】
図２（ｂ）において、割り線３００は、延長グリップ２００の外装を形成している筐体２０１と蓋部材２０３とが合わさる割り位置における線であり、延長グリップ２００のホールド部２０４と略対向する背面側の＋ｚ方向から＋ｘ方向にかけて設けられている。蓋部材ロック部２０５は、回動ロック部２３４、台座部２３５、つまみ部２３６、および、シャフト２３７を備えて構成されている。つまみ部２３６は、シャフト２３７を台座部２３５との間に挿入することで取り付けられ、ｘ軸回転方向に回動操作可能である。
【００２３】
回動ロック部２３４は、台座部２３５との間に蓋部材ベース２３０を挟持するように、ビスにより＋ｙ方向から締結される。回動ロック部２３４は、台座部２３５に取り付けられたつまみ部２３６をｙ軸回転方向に操作することでロック位置とロック解除位置とで回動操作可能である。回動ロック部２３４は、ロック位置において、筐体２０１に形成されている係止穴２１６で係止される。
【００２４】
蓋部材回動軸２３８は、蓋部材２０３を筐体２０１に取り付けるための部品である。開きバネ２３９は、蓋部材回動軸２３８を中心として挿入した状態で、蓋部材ベース２３０と蓋部材カバー２３１との間に挟持されている。回動ロック部２３４がロック解除位置にある場合、開きバネ２３９の付勢力により、蓋部材２０３は筐体２０１に対して自動的に回動可能である。なお、これらの部品の機能の詳細については後述する。
【００２５】
本実施形態において、回動ロック部２３４、台座部２３５、および、つまみ部２３６は、ポリカーボネートやポリアセタール等の樹脂成形により作製される。一方、蓋部材回動軸２３８は、ＳＵＳ等の金属プレス加工や切削加工により作製される。
【００２６】
防滴部材２４０は、ウレタン発泡体等の緩衝材であり、不図示の両面テープ等で蓋部材ベース２３０に貼り付けられている。蓋部材２０３が閉じている状態において、防滴部材２４０は、筐体２０１と蓋部材ベース２３０との間で押圧されて潰れる。これにより、密閉状態となり、カメラ本体１００に収納される電池１０４の周辺部における防滴性能を向上させることができる。
【００２７】
次に、図４および図５を参照して、延長グリップ２００をカメラ本体１００に装着する方法について説明する。図４は、カメラ本体１００の蓋部材の取り外し方法を示す図である。図４（ａ）は、カメラ本体１００の蓋部材（カメラ本体蓋部材）１１０が開位置にある状態を示す。図４（ｂ）は、蓋部材１１０の回動軸を退避させ、蓋部材１１０を外している状態を示す。図４（ｃ）は、カメラ本体１００から蓋部材１１０を取り外した状態を示す。図５（ａ）、（ｂ）はそれぞれ、延長グリップ２００およびカメラ本体１００の正面斜視図および背面斜視図である。
【００２８】
延長グリップ２００の筐体２０１をカメラ本体１００に取り付ける際には、カメラ本体１００の蓋部材１１０を取り外す必要がある。図４（ａ）に示されるように、蓋部材１１０が開位置にある状態において、蓋部材１１０の取り外しレバー１１１を＋ｚ方向に操作する。この操作により、蓋部材１１０の不図示の回動軸が退避し（図４（ｂ））、蓋部材１１０を取り外すことができる（図４（ｃ））。
【００２９】
延長グリップ２００をカメラ本体１００に装着する際に、位置決めピン２１２は延長グリップ２００の位置決め穴１１２に挿入される。これにより、カメラ本体１００と延長グリップ２００との位置関係が決定する。カメラ本体１００のめねじ１１３は、三脚に設けられた締め付けねじや、延長グリップ２００の第一の締結部２２０を取り付けるためのめねじである。
【００３０】
図５において、カメラ本体１００下面側（−ｙ方向）から、延長グリップ２００の位置決めピン２１２を位置決め穴１１２に挿入し、ユーザが締結部材２０２を締め付け方向に回転させることで、第一の締結部２２０とめねじ１１３とが締結される。
【００３１】
次に、図６乃至図１０を参照して、延長グリップ２００の蓋部材２０３の回動動作について説明する。図６は、蓋部材２０３の回動ロック部２３４がロック位置にある状態（ロック状態）を示す図である。図６（ａ）は延長グリップ２００が装着されたカメラ本体１００の下面図、図６（ｂ）は図６（ａ）中のＡＡ−ＡＡ断面図、および、図６（ｃ）は図６（ｂ）中の領域ＢＢの拡大図をそれぞれ示す。図７は、蓋部材２０３の回動ロック部２３４をロック解除位置へ回動操作するため、つまみ部２３６を引き上げた状態を示す図である。図７（ａ）は、延長グリップ２００が装着されたカメラ本体１００の側面図、図７（ｂ）は図７（ａ）の下面図である。
【００３２】
図８は、蓋部材２０３の回動ロック部２３４がロック解除位置の状態を示す図である。図８（ａ）は延長グリップ２００が装着されたカメラ本体１００の下面図、図８（ｂ）は図８（ａ）のＣＣ−ＣＣ断面図、および、図８（ｃ）は図８（ｂ）中の領域ＤＤの拡大図をそれぞれ示す。図９（ａ）は、蓋部材２０３が開位置にある状態を示す図である。図９（ｂ）は、図９（ａ）において、電池１０４およびメディア１０５を取り出すため、係止を解除した状態を示す図である。図１０は、蓋部材カバー２３１および蓋部材ロック部２０５の下面図および側面図である。
【００３３】
図６において、回動ロック部２３４はロック位置にあり、筐体２０１に形成されている係止穴２１６で係止されている。つまみ部２３６は、シャフト２３７の軸線を中心として閉じ位置（図６（ａ））と、開き位置（図７（ｂ））との間で回動動作（図６、図７のｘ軸回転方向の動作）が可能である。図７（ｂ）に示されるように、つまみ部２３６が開き位置にある状態において、図７（ｂ）中のＲ方向につまみ部２３６を回転させることで、台座部２３５に締結された回動ロック部２３４が回転する。これにより、図８（ｃ）に示されるように、回動ロック部２３４は係止穴２１６から退避し、ロック解除位置の状態となる。
【００３４】
図９（ａ）は、回動ロック部２３４がロック解除位置の状態となった後、開きバネ２３９の付勢力によって蓋部材２０３が自動回動動作し、開位置となった状態を示している。蓋部材２０３が開位置となった状態において、カメラ本体１００に収納された電池１０４およびメディア１０５にアクセスして挿抜操作が可能となる。電池１０４は、電池保持部材１０６により保持されており、図９（ａ）中のｚ方向に向けて電池保持部材１０６の係止を解除することで、カメラ本体１００から取り出すことができる。メディア１０５は、不図示のメディアスロットに保持されており、図９（ａ）の状態でメディア１０５を押し込むことで、係止が解除され、カメラ本体１００から取り出すことができる。図９（ｂ）は、電池１０４およびメディア１０５の係止が解除された状態を示している。前述のとおり、割り線３００は、筐体２０１と蓋部材２０３とが合わさる線である。図９（ａ）、（ｂ）に示されるように割り線３００を設けることにより、ユーザの指が電池１０４およびメディア１０５へアクセスしやすくなり、挿抜操作性が向上する。
【００３５】
図１０において、蓋部材ベース２３０は図示されておらず、蓋部材カバー２３１の下面（−ｙ方向）には円弧凸部２５０が設けられている。図１０（ａ）は、回動ロック部２３４がロック位置にある状態（蓋部材２０３が閉位置にある状態）を示している。図１０（ｂ）は、回動ロック部２３４がロック解除位置にある状態（蓋部材２０３が開位置にある状態）を示している。
【００３６】
円弧凸部２５０は、回動ロック部２３４がロック位置（図１０（ａ））からロック解除位置（図１０（ｂ））に回動する量に応じて、徐々に高くなるように構成されている。回動ロック部２３４がロック解除位置に達した際に、円弧凸部２５０は高さΔＨを有する。このような構成により、円弧凸部２５０は、筐体カバー２１０と回動ロック部２３４との間に摩擦力を発生させ、蓋部材２０３が開位置にある状態において不用意に回動ロック部２３４が回転することを防止する。
【００３７】
次に、図１１乃至図１３を参照して、蓋部材２０３のｚ方向のガタつきを抑制する構成について説明する。図１１は、延長グリップ２００が装着されたカメラ本体１００の側面図である。図１２は、延長グリップ２００の構成図であり、図１２（ａ）は延長グリップ２００の下面図および要部拡大図、図１２（ｂ）は背面図をそれぞれ示している。図１３は、筐体２０１と蓋部材２０３との間のクリアランス（隙間）の説明図である。
【００３８】
図１１において、延長グリップ２００が装着されたカメラ本体１００をユーザが把持する際、カメラ本体１００のホールド部１０１および延長グリップ２００のホールド部２０４に指を掛け、手のひらを＋ｚ方向から−ｚ方向へ向かって握り込むことが想定される。この場合、前述のように、延長グリップ２００には電池１０４やメディア１０５の取り出しやすさを考慮し、割り線３００が設けられているため、筐体２０１と蓋部材２０３との間のｚ方向におけるガタつきが大きいと、ホールド性が損なわれる。
【００３９】
図１２（ａ）、（ｂ）において、３００ａは背面割り線、３００ｂは底面割り線である。背面割り線３００ａおよび底面割り線３００ｂは、割り線３００の一部であり、背面割り線３００ａは延長グリップ２００の背面から見える割り線、底面割り線３００ｂは延長グリップ２００の底面から見える割り線である。図１２（ａ）中の左図の領域ＥＥの拡大図を右上図に示している。また、図１２（ａ）の中の左図の領域ＦＦの拡大図を右下図に示している。領域ＥＥ、ＦＦの拡大図は底面割り線３００ｂを示している。底面割り線３００ｂには、第一のクリアランス２６０および第二のクリアランス２６１が設けられている。第一のクリアランス２６０は、蓋部材２０３に設けられた第一の凸部２７０または第二の凸部２７１とそれに対向する筐体２０１の平面とにより形成される。第二のクリアランス２６１は、蓋部材２０３の平面とそれに対向する筐体２０１の平面とにより形成される。
【００４０】
図１３において、２０１ａは領域ＥＥにおける筐体２０１の底面割り線３００ｂを形成するＸＹ平面、２０１ｂは領域ＦＦにおける筐体２０１の底面割り線３００ｂを形成するＸＹ平面である。２０３ａは領域ＥＥにおける蓋部材２０３の底面割り線３００ｂを形成するＸＹ平面、２０３ｂは領域ＦＦにおける蓋部材２０３の底面割り線３００ｂを形成するＸＹ平面である。
【００４１】
図１３に示されるように、第一のクリアランス２６０と第二のクリアランス２６１とは互いに異なるクリアランス量を有し、第一のクリアランス２６０は第二のクリアランス２６１よりも小さい。このため、延長グリップ２００が装着されたカメラ本体１００をユーザが把持する際、より小さい第一のクリアランス２６０を形成している第一の凸部２７０と筐体２０１の平面２０１ａとが先当たりするため、ｚ方向のガタつきは小さい。第一の凸部２７０は、底面割り線３００ｂにおける延長グリップ２００のホールド部２０４の先端側寄り（蓋部材回動軸２３８よりもホールド部２０４の先端部に近い位置）に配置されている。第二の凸部２７１は、底面割り線３００ｂにおける延長グリップ２００のホールド部２０４の蓋部材２０３を回動させるための蓋部材回動軸２３８寄り（ホールド部２０４の先端部よりも蓋部材回動軸２３８に近い位置）に配置されている。
【００４２】
前述のとおり、第一の凸部２７０および第二の凸部２７１を設けることにより、延長グリップ２００が装着されたカメラ本体１００をユーザが把持する際のクセやばらつきによらず、安定して蓋部材２０３のｚ方向のガタつきを抑制することができる。このためユーザは、違和感なく、延長グリップ２００が装着されたカメラ本体１００を把持することが可能となる。
【００４３】
一方、底面割り線３００ｂの大部分は第二のクリアランス２６１を形成するため、蓋部材２０３の回動動作をさせる際に、筐体２０１と蓋部材２０３とが不用意に接触することを抑制している。このため、ユーザが電池１０４およびメディア１０５を取り出すために、延長グリップ２００の蓋部材２０３を開閉する際に、引掛りなく快適な操作が可能となる。
【００４４】
本実施形態において、第一の凸部２７０および第二の凸部２７１の２つの凸部が底面割り線３００ｂに設けられているが、本発明はこれに限定されるものではない。３つ以上の凸部を底面割り線３００ｂに設けてもよい。筐体２０１および蓋部材２０３の底面割り線３００ｂが、よりｘ方向に幅広く伸びている場合、２つ以上の凸部を設けることで、より効果的にｚ方向のガタつきを抑制することができる。また本実施形態において、第一の凸部２７０および第二の凸部２７１はそれぞれ蓋部材２０３に設けられているが、本発明はこれに限定されるものではない。複数の凸部の少なくとも一つを筐体２０１に設けてもよい。
【００４５】
次に、図１４乃至図１６を参照して、本実施形態における変形例としての延長グリップ２００ａの構成について説明する。延長グリップ２００ａは、蓋部材２０３のｚ方向のガタつきを抑制するための凸部の極端な削れを抑制する構成を有する。図１４は、延長グリップ２００ａの下面図である。図１４（ａ）中の左図の領域ＧＧの拡大図を右上図に示している。また、図１４（ａ）の中の左図の領域ＨＨの拡大図を右下図に示している。図１５は、筐体２０１と蓋部材２０３との間のクリアランスの説明図である。図１５（ａ）は領域ＧＧにおけるクリアランスΔα２６２および第二のクリアランス２６１の説明図、図１５（ｂ）は領域ＨＨにおけるクリアランスΔβ２６３および第二のクリアランス２６１の説明図をそれぞれ示す。図１６は、蓋部材２０３が開位置から閉位置に遷移する際の第一の凸部２７０と第二の凸部２７１との位置関係の説明図である。図１６（ａ）は延長グリップ２００ａが取り付けられたカメラ本体１００の正面図、図１６（ｂ）は図１６（ａ）中の領域ＪＪの拡大図をそれぞれ示す。
【００４６】
図１５（ａ）、（ｂ）に示されるように、底面割り線３００ｂには、第二のクリアランス２６１、クリアランスΔα２６２、および、クリアランスΔβ２６３が設けられている。クリアランスΔα２６２またはクリアランスΔβ２６３は、蓋部材２０３に設けられた第一の凸部２７０または第二の凸部２７１とそれに対向する筐体２０１の平面とで形成される。第二のクリアランス２６１は、蓋部材２０３の平面とそれに対向する筐体２０１の平面とで形成される。
【００４７】
図１５（ａ）、（ｂ）において、２０１ｃは領域ＧＧにおける筐体２０１の底面割り線３００ｂを形成するＸＹ平面、２０１ｄは領域ＨＨにおける筐体２０１の底面割り線３００ｂを形成するＸＹ平面である。２０３ｃは領域ＧＧにおける蓋部材２０３の底面割り線３００ｂを形成するＸＹ平面、２０３ｄは領域ＨＨにおける蓋部材２０３の底面割り線３００ｂを形成するＸＹ平面である。
【００４８】
図１５（ａ）、（ｂ）に示されるように、クリアランスΔα２６２およびクリアランスΔβ２６３はそれぞれ、第二のクリアランス２６１よりも小さい。このため、ユーザが把持する際、より小さいクリアランスΔα２６２またはクリアランスΔβ２６３を形成している第一の凸部２７０または第二の凸部２７１と筐体２０１の平面２０１ｃまたは平面２０１ｄとが先当たりするため、ｚ方向のガタつきは小さい。
【００４９】
一方、底面割り線３００ｂの大部分は第二のクリアランス２６１を形成するため、蓋部材２０３の回動動作をさせる際に、筐体２０１と蓋部材２０３とが不用意に接触することを抑制している。また、図１５（ａ）、（ｂ）に示されるように、クリアランスΔα２６２はクリアランスΔβ２６３よりも小さい（Δα＜Δβ）。
【００５０】
図１６（ｂ）は、蓋部材２０３が回動方向Ｒに動作して開位置から閉位置に遷移する状態を示している。蓋部材２０３が回動方向Ｒに動作した場合、仮にクリアランスΔα２６２とクリアランスΔβ２６３とが同じであるとすると、第二の凸部２７１が第一の凸部２７０よりも先に、筐体２０１に接触する。このため、ユーザが何度も回動動作を行うと、第二の凸部２７１が第一の凸部２７０よりも先に削れ始めることが予想される。
【００５１】
一方、本変形例では、クリアランスΔα２６２はクリアランスΔβ２６３より小さく設定されているため、第一の凸部２７０が第二の凸部２７１よりも先に削れ始める。このような構成により、ユーザが電池１０４およびメディア１０５を取り出すために蓋部材２０３の回動動作を繰り返すことにより、第二の凸部２７１が極端に削れてしまうことを抑制することができる。
【００５２】
次に、図１７を参照して、蓋部材２０３の付勢方向について説明する。図１７は、開きバネ２３９による蓋部材２０３の付勢方向の説明図である。図１７（ａ）は延長グリップ２００の蓋部材２０３が開位置にある状態の構成図、図１７（ｂ）は図１７（ａ）中の領域ＫＫの拡大図をそれぞれ示している。前述のとおり、筐体２０１と蓋部材２０３とのｚ方向のガタつきが大きいとホールド性が損なわれるため、蓋部材２０３はガタ寄せされていることが好ましい。図１７において、蓋部材カバー２３１は不図示である。図１７（ｂ）において、開きバネ２３９の固定端は筐体２０１に設けられ、開きバネ２３９の可動端は蓋部材ベース２３０に設けられている。
【００５３】
開きバネ２３９は、蓋部材回動軸２３８を貫通するように組み立てられており、組立状態において、図１７（ｂ）中の−ｚ方向に蓋部材２０３を付勢している。前述のとおり、蓋部材２０３が閉位置にある場合、延長グリップ２００が装着されたカメラ本体１００を把持し、手のひらを＋ｚ方向から−ｚ方向へ向かって握り込んだ際のｚ方向のガタつきを抑制することができる。このため、ユーザは違和感なく、延長グリップ２００が装着されたカメラ本体１００を把持することが可能となる。
【００５４】
このように本実施形態において、アクセサリは、カメラ本体１００に着脱可能な延長グリップ２００であって、筐体２０１、蓋部材２０３、および、ホールド部２０４を有する。蓋部材は、筐体に対して開位置と閉位置との間で動作可能である。ホールド部は、カメラ本体にアクセサリを装着した状態で、カメラ本体を把持した手の一部が掛かる。蓋部材が開位置にある場合、カメラ本体にアクセサリを装着した状態でカメラ本体の内部に収納された電池またはメディアの少なくとも一方の挿抜が可能である。一方、蓋部材が閉位置にある場合、カメラ本体にアクセサリを装着した状態で電池またはメディアの少なくとも一方の挿抜が不可能である。ホールド部の少なくとも一部には、筐体と蓋部材とで形成された割り線３００が設けられている。割り線のクリアランスは、第一のクリアランス２６０と、第一のクリアランスと大きさが異なる第二のクリアランス２６１とを有する。
【００５５】
好ましくは、第二のクリアランスは、第一のクリアランスよりも大きい。また好ましくは、第一のクリアランスは、筐体および蓋部材の一方に設けられた凸部（２７０、２７１）と、凸部に対向する筐体および蓋部材の他方の平面（２０１ａ、２０１ｂ）とにより形成されている。第二のクリアランスは、筐体の平面と、筐体の平面に対向する蓋部材の平面とにより形成されている。また好ましくは、第一のクリアランスを形成する凸部は、割り線の範囲内において第一の凸部２７０および第二の凸部２７１を含む。また好ましくは、第一のクリアランスを形成する凸部は、割り線の範囲内において少なくとも２つ以上の凸部を含む。より好ましくは、アクセサリは、蓋部材を回動させるための回動軸（蓋部材回動軸２３８）を有する。第一の凸部は、回動軸よりもホールド部の先端部に近い位置に設けられている。第二の凸部は、ホールド部の先端部よりも回動軸に近い位置に設けられている。より好ましくは、アクセサリは、回動軸を貫通するように設けられた開きバネ２３９を有する。蓋部材は、開きバネの付勢力により、ホールド部の先端部に向けて付勢されている。
【００５６】
好ましくは、クリアランスΔα２６２とクリアランスΔβ２６３は、互いに異なる大きさを有する。より好ましくは、クリアランスΔα２６２は、クリアランスΔβ２６３よりも小さい。また好ましくは、蓋部材は、閉位置において、カメラ本体に挿入される電池またはメディアの少なくとも一方の挿抜方向（略挿抜方向を含む）に配置されている
本実施形態によれば、操作性を損なうことなくホールド性を維持または向上させることが可能なアクセサリ（延長グリップ）および撮像装置を提供することができる。
【００５７】
以上、本発明の好ましい実施形態について説明したが、本発明はこれらの実施形態に限定されず、その要旨の範囲内で種々の変形及び変更が可能である。
【符号の説明】
【００５８】
１００  カメラ本体
２００  延長グリップ（アクセサリ）
２０１  筐体
２０３  蓋部材
２０４  ホールド部
２６０  第一のクリアランス
２６１  第二のクリアランス
３００  割り線
【図１】
2020016861.tif 000003
【図２】
2020016861.tif 000004
【図３】
2020016861.tif 000005
【図４】
2020016861.tif 000006
【図５】
2020016861.tif 000007
【図６】
2020016861.tif 000008
【図７】
2020016861.tif 000009
【図８】
2020016861.tif 000010
【図９】
2020016861.tif 000011
【図１０】
2020016861.tif 000012
【図１１】
2020016861.tif 000013
【図１２】
2020016861.tif 000014
【図１３】
2020016861.tif 000015
【図１４】
2020016861.tif 000016
【図１５】
2020016861.tif 000017
【図１６】
2020016861.tif 000018
【図１７】
2020016861.tif 000019